(57)【特許請求の範囲】
【請求項１】
放射線検出器を支持する検出器支持部と、
前記検出器支持部に支持される前記放射線検出器を雰囲気に露出させつつ、前記放射線
検出器に対して少なくとも直射日光を遮蔽する傘型形状の遮蔽部材と、
前記遮蔽部材を保持する遮蔽部材保持部と、
を備え、
前記遮蔽部材保持部は、
前記遮蔽部材の軸部を着脱可能に保持する、
ことを特徴とする放射線検出器支持架台。
【請求項２】
前記遮蔽部材保持部は、
前記軸部が鉛直方向上方から下方に向かって差し込まれる筒型形状を有する、
ことを特徴とする請求項１に記載の放射線検出器支持架台。
【請求項３】
前記遮蔽部材保持部は、
前記遮蔽部材に作用する外力の大きさが、前記放射線検出器支持架台の姿勢を所定姿勢範囲以上に変化させる所定の大きさ未満の場合に前記放射線検出器支持架台に対する固定を維持し、
前記外力の大きさが、前記所定の大きさ以上の場合に前記放射線検出器支持架台に対する固定を解除する、
ことを特徴とする請求項１または請求項２に記載の放射線検出器支持架台。
【発明の詳細な説明】
【技術分野】
【０００１】
この発明は、放射線検出器支持架台に関する。
【背景技術】
【０００２】
従来、環境中の空間線量率を測定する検出器を、直射日光を反射する検出器外套内に収容し、検出器を支持する支持パイプに直射日光が当たらないように日除けカバーを装着する空間線量率モニタが知られている（例えば、特許文献１参照）。
【先行技術文献】
【特許文献】
【０００３】
【特許文献１】特開２００６−７８３３８号公報
【発明の概要】
【発明が解決しようとする課題】
【０００４】
ところで、上記従来技術に係る空間線量率モニタは、定点観測的に周辺環境の空間線量率を測定するように設置される。この空間線量率モニタは、検出器外套の内面全体に装着された断熱材を備えているので、直射日光を遮るための構成が大型であり、屋外での測定位置を変更しながら運搬および設置を繰り返すことが困難であるという問題が生じる。このような問題に対して、屋外での測定に対応して運搬容易性および設置容易性を確保しつつ、測定時において日光を的確に遮蔽して検出器の放熱性を確保することが望まれている。
【０００５】
本発明は上記事情に鑑みてなされたもので、運搬容易性および設置容易性を確保しつつ、測定時において日光を適正に遮蔽することが可能な放射線検出器支持架台を提供することを目的としている。
【課題を解決するための手段】
【０００６】
上記課題を解決して係る目的を達成するために、本発明は以下の態様を採用した。
（１）本発明の一態様に係る放射線検出器支持架台は、放射線検出器を支持する検出器支持部と、前記検出器支持部に支持される前記放射線検出器を雰囲気に露出させつつ、前記放射線検出器に対して少なくとも直射日光を遮蔽する傘型形状の遮蔽部材と、前記遮蔽部材を保持する遮蔽部材保持部と、を備え、前記遮蔽部材保持部は、前記遮蔽部材の軸部を着脱可能に保持する。
【０００８】
（２）上記（１）に係る放射線検出器支持架台では、前記遮蔽部材保持部は、前記軸部が鉛直方向上方から下方に向かって差し込まれる筒型形状を有する。
【０００９】
（３）上記（１）または（２）に係る放射線検出器支持架台では、前記遮蔽部材保持部は、前記遮蔽部材に作用する外力の大きさが、前記放射線検出器支持架台の姿勢を所定姿勢範囲以上に変化させる所定の大きさ未満の場合に前記放射線検出器支持架台に対する固定を維持し、前記外力の大きさが、前記所定の大きさ以上の場合に前記放射線検出器支持架台に対する固定を解除する。
【発明の効果】
【００１０】
上記（１）に記載の態様に係る放射線検出器支持架台によれば、傘型形状の遮蔽部材を備えることにより、屋外などでの測定時において直射日光を的確に遮蔽しながら放射線検出器の放熱性を確保することができる。さらに、傘型形状の遮蔽部材によって運搬容易性および設置容易性を確保することができる。
【００１１】
上記（２）に記載の態様に係る放射線検出器支持架台によれば、遮蔽部材の軸部を着脱可能に保持する遮蔽部材保持部を備えるので、運搬容易性および設置容易性を、より一層、向上させることができる。
【００１２】
上記（３）に記載の態様に係る放射線検出器支持架台によれば、筒型形状の遮蔽部材保持部を備えることにより、遮蔽部材の着脱容易性を向上させることができるとともに、放射線検出器支持架台の姿勢安定性を向上させることができる。
【００１３】
上記（４）に記載の態様に係る放射線検出器支持架台によれば、遮蔽部材の受風などに起因する外力作用時であっても、放射線検出器支持架台の姿勢が所定姿勢範囲を超えて変化することを防ぐことができる。
【図面の簡単な説明】
【００１４】
【図１】本発明の実施形態に係る放射線検出器支持架台の斜視図。
【図２】本発明の実施形態に係る放射線検出器支持架台における検出器支持部の下部の一部を示す側面図。
【図３】本発明の実施形態の変形例に係る放射線検出器支持架台の斜視図。
【発明を実施するための形態】
【００１５】
以下、本発明の一実施形態に係る放射線検出器支持架台について添付図面を参照しながら説明する。
【００１６】
実施形態による放射線検出器支持架台１０は、図１および図２に示すように、放射線検出器１１を支持する検出器支持部１２と、遮蔽部材１３と、遮蔽部材１３を保持する遮蔽部材保持部１４と、を備えている。さらに、放射線検出器支持架台１０は、屋内での放射線検出器１１の較正時などにおいて用いられるように着脱可能な線源固定用治具１５を備えている。
なお、図１においては、遮蔽部材１３および線源固定用治具１５の両方を図示しているが、屋外などでの測定時において遮蔽部材１３を用いる場合には、線源固定用治具１５は取り外される。一方、屋内での放射線検出器１１の較正時などにおいて線源固定用治具１５を用いる場合には、遮蔽部材１３は取り外される。
【００１７】
放射線検出器１１は、例えばゲルマニウム半導体検出器やシリコン半導体検出器などの半導体検出器である。放射線検出器１１は、クライオスタット２１の内部を電気的に冷却するスターリング冷凍機などの電気冷却装置２２を備えている。放射線検出器１１は、クライオスタット２１において、放射線の入射窓（図示略）を有するエンドキャップハウジング２１ａの内部の真空領域に、放射線に対して有感なゲルマニウム結晶やシリコン結晶などの半導体結晶（図示略）を保持している。半導体結晶に形成された結晶電極（図示略）はエンドキャップハウジング２１ａの内部に収容された電荷型前置増幅器（図示略）に接続されている。電荷型前置増幅器は、半導体結晶に入射した放射線のエネルギーに応じた波高値を有する出力信号パルスを出力する。
【００１８】
検出器支持部１２は、貫通孔３０が形成された台座３１と、台座３１に固定された３つまたは４つの脚部３２と、を備えている。なお、脚部３２の数は、３または４に限定されない。
台座３１の外形は、板状に形成されている。台座３１は、表面上に載置される放射線検出器１１を解除可能に固定する。放射線検出器１１のクライオスタット２１は、鉛直方向Ｖの下方に向かって貫通孔３０に挿入され、エンドキャップハウジング２１ａを台座３１から下方に突出させている。放射線検出器１１の電気冷却装置２２は、台座３１の表面上に載置されている。台座３１は、例えばアイボルトまたはアイプレートなどのように、放射線検出器支持架台１０の転倒防止用に用いられるロープなどを装着するための装着部３３を備えている。
例えば４つの脚部３２は、台座３１を支持している。各脚部３２の基端部（第１端部）３２ａは、台座３１に設けられた支持部３１ａに締結部材３１ｂによって回転可能に固定されている。各脚部３２は、支持部３１ａに対して回転する第１端部３２ａを備えることによって、台座３１に対する角度を変更可能に取り付けられている。各脚部３２は、固定部材３２ｂによって固定位置を変更可能な複数の棒状部材３２ｃを備えることによって、伸縮可能に形成されている。
【００１９】
遮蔽部材１３の外形は、傘型形状に形成されている。遮蔽部材１３は、軸部４１と、軸部４１に接続された骨部４２と、骨部４２によって支持されるカバー４３と、を備えている。遮蔽部材１３は、検出器支持部１２に支持される放射線検出器１１の上方にカバー４３を配置して、放射線検出器１１を雰囲気に露出させつつ、放射線検出器１１に対して少なくとも直射日光を遮蔽する。
【００２０】
遮蔽部材保持部１４は、台座３１の表面上に着脱可能に固定されている。遮蔽部材保持部１４は、支持部５１と、軸部装着部５２と、固定部材５３と、を備えている。支持部５１の外形は、板状に形成されている。支持部５１は、台座３１の表面上から鉛直方向Ｖの上方に起立するように固定されている。軸部装着部５２の外形は、筒型形状に形成されている。軸部装着部５２は、開口部を鉛直方向Ｖの上方に向けて固定部材５３によって支持部５１に解除可能に固定されている。軸部装着部５２は、鉛直方向Ｖの上方から下方に向かって差し込まれる遮蔽部材１３の軸部４１を着脱可能に保持する。固定部材５３は、いわゆるサドルバンドなどである。固定部材５３は、ボルト装着部（図示略）に装着されるボルト（図示略）などによって支持部５１に解除可能に固定されることによって、軸部装着部５２を支持部５１に着脱可能に固定する。
【００２１】
固定部材５３は、遮蔽部材１３に作用する外力の大きさが、放射線検出器支持架台１０の姿勢を所定姿勢範囲以上に変化させる所定の大きさ未満の場合に支持部５１に対する固定を維持する。固定部材５３は、遮蔽部材１３に作用する外力の大きさが、放射線検出器支持架台１０の姿勢を所定姿勢範囲以上に変化させる所定の大きさ以上の場合に支持部５１に対する固定を解除する。固定部材５３は、例えば、遮蔽部材１３の受風により水平方向Ｈに作用する力の大きさが、放射線検出器支持架台１０を転倒させるのに必要な所定の大きさ未満の場合に支持部５１に対する固定を維持する。固定部材５３は、例えば、遮蔽部材１３の受風により水平方向Ｈに作用する力の大きさが、放射線検出器支持架台１０を転倒させるのに必要な所定の大きさ以上の場合に、例えばボルトまたはボルト装着部などの変形または分解などによって支持部５１に対する固定を解除する。
【００２２】
線源固定用治具１５は、屋内での放射線検出器１１の較正時などにおいて台座３１の下部に着脱可能に固定されている。線源固定用治具１５の外形は、基端部（第１端部）１５ａから先端部（第２端部）１５ｂに向かって伸びる棒状に形成されている。線源固定用治具１５の第１端部１５ａは、台座３１の下部に設けられた治具支持部３１ｃに締結部材３１ｄによって回転可能に固定されている。線源固定用治具１５の第２端部１５ｂは、放射線検出器１１の効率較正用の標準線源を固定する。線源固定用治具１５の第１端部１５ａの回転軸は、放射線検出器１１の検出部の中心（例えば、半導体結晶の中心など）を含んでいる。これにより線源固定用治具１５は、標準線源と放射線検出器１１の検出部との距離を所定の一定距離に維持しながら、放射線検出器１１の検出部と標準線源を結ぶ線と放射線検出器１１の中心軸とがなす角度を適宜に変更可能である。
【００２３】
上述したように、本実施形態による放射線検出器支持架台１０によれば、傘型形状の遮蔽部材１３を備えることにより、屋外などでの測定時において直射日光を的確に遮蔽しながら放射線検出器１１の放熱性を確保することができる。さらに、傘型形状の遮蔽部材１３によって運搬容易性および設置容易性を確保することができる。
さらに、遮蔽部材１３の軸部４１を着脱可能に保持する遮蔽部材保持部１４を備えるので、運搬容易性および設置容易性を、より一層、向上させることができる。さらに、筒型形状の遮蔽部材保持部１４を備えることにより、遮蔽部材の着脱容易性を向上させることができるとともに、放射線検出器支持架台の姿勢安定性を向上させることができる。
さらに、遮蔽部材１３の受風などに起因する外力作用時であっても、放射線検出器支持架台１０の姿勢が所定姿勢範囲を超えて変化することを防ぐことができる。
【００２４】
以下に、上述した実施形態の変形例について説明する。
上述した実施形態において、遮蔽部材保持部１４は、軸部装着部５２に差し込まれる遮蔽部材１３の軸部４１を保持するとしたが、これに限定されない。
上述した実施形態の変形例に係る遮蔽部材保持部６１は、図３に示すように、遮蔽部材１３の軸部４１に設けられるクリップ部材などであってもよい。この変形例の遮蔽部材保持部６１は、検出器支持部１２の台座３１または脚部３２に着脱可能に装着されることによって遮蔽部材１３を支持する。
【００２５】
上述した実施形態において、遮蔽部材１３は、検出器支持部１２に表示装置（図示略）が載置される場合には、放射線検出器１１に加えて表示装置に対して少なくとも直射日光を遮蔽してもよい。この場合、表示装置の放熱性に加えて視認性を向上させることができる。
上述した実施形態において、検出器支持部１２は、移動可能な台車などであってもよい。
上述した実施形態において、遮蔽部材１３の外形は、傘型形状に限定されない。遮蔽部材１３は、例えば上述した骨部４２が省略されて、軸部４１と、軸部４１によって支持されるカバー４３と、を備えてもよい。
上述した実施形態において、遮蔽部材１３に作用する外力の大きさが所定の大きさ以上の場合に、固定部材５３が支持部５１に対する固定を解除するとしたが、これに限定されない。例えば、軸部装着部５２が遮蔽部材１３の軸部４１の保持を解消するように、変形または分解してもよい。
【００２６】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２７】
１０…放射線検出器支持架台、１１…放射線検出器、１２…検出器支持部、１３…遮蔽部材、１４…遮蔽部材保持部、１５…線源固定用治具、２１…クライオスタット、２１ａ…エンドキャップハウジング、３１…台座、３２…脚部、４１…軸部、４２…骨部、４３…カバー、５１…支持部、５２…軸部装着部、５３…固定部材
【図１】
0006465341.tif 000002
【図２】
0006465341.tif 000003
【図３】
0006465341.tif 000004